(57)【要約】【課題】消灯されたランプを迅速に感知することができるバックライトアセンブリ及びこれを利用した液晶表示装置を提供する。【解決手段】  収納容器には電気的に並列に配置され印加されたランプ駆動電圧により点灯するランプを含むランプアセンブリが配置される。収納容器には各ランプに対応する位置にランプの作動状態により互いに異なる感知信号を発生する感知センサーが設置される。収納容器の外部にはランプを点灯するのに必要とされるランプ駆動電圧を印加するランプ駆動モジュールが設けられる。ランプ駆動モジュールは、感知サンサーから互いに異なる感知信号が出力されたとき、正常作動するランプを迅速に消灯させてランプを保護する。【選択図】    図１
2004265870.tif 000002
【特許請求の範囲】
【請求項１】
光を発生する複数のランプであって、互いに平行に配置され、電気的に並列に連結されたランプを有するランプアセンブリと、
前記ランプアセンブリを収納するための、底面及び側面を有する収納容器と、
前記収納容器の内部領域に各ランプの位置に対応する位置に配置され、前記各ランプの作動状態に対応して感知信号を出力する感知センサーと、
前記収納容器の外部領域に配置されて前記ランプに前記ランプを駆動するためのランプ駆動電圧を印加するランプ駆動モジュール、及び、前記感知センサーにより出力された各感知信号のレベルを予め設定された基準信号レベルと比較して前記各感知信号のうち少なくとも一つが前記基準信号以下であるときに、前記ランプ駆動電圧を遮断するための電圧遮断信号を前記ランプ駆動モジュールに印加する電圧遮断モジュールを有するインバーターと、
を含むことを特徴とするバックライトアセンブリ。
【請求項２】
前記感知センサー及び前記ランプアセンブリの間には、前記光を反射するための反射板がさらに設置されることを特徴とする請求項１記載のバックライトアセンブリ。
【請求項３】
前記複数のランプは、それぞれ、ランプ本体、前記ランプ本体の第１端部に配置された第１電極、及び前記第１端部と対向する前記ランプ本体の第２端部に配置された第２電極を有し、
前記電源印加モジュールは、前記複数のランプの第１電極を並列に連結する第１電圧印加モジュール、及び前記複数のランプの第２電極を並列に連結する第２電圧印加モジュールを含む
ことを特徴とする請求項１記載のバックライトアセンブリ。
【請求項４】
前記感知センサーは、前記収納容器に対して絶縁され、電磁誘導により磁場に応じた電流を発生し前記感知信号として出力するための導電部材、及び前記導電部材と前記インバーターとを連結するための信号印加線を含むことを特徴とする請求項１記載のバックライトアセンブリ。
【請求項５】
前記導電部材及び前記信号印加線は絶縁部材により前記収納容器に対して絶縁されることを特徴とする請求項４記載のバックライトアセンブリ。
【請求項６】
前記感知センサーと前記ランプの表面との間隔は１〜５ｍｍであることを特徴とする請求項１記載のバックライトアセンブリ。
【請求項７】
前記収納容器の底面は前記感知センサーと前記インバーターとを連結するための開口をさらに有することを特徴とする請求項１記載のバックライトアセンブリ。
【請求項８】
前記感知センサーは、前記ランプから発生した光を検出するための光電素子、及び、前記光電素子と前記インバーターとを連結するための信号印加線を含むことを特徴とする請求項１記載のバックライトアセンブリ。
【請求項９】
前記光電素子は、前記光を電流に変換するアモルファスシリコン薄膜またはフォトトランジスタまたはフォトダイオードであることを特徴とする請求項８記載のバックライトアセンブリ。
【請求項１０】
前記感知センサー及び前記ランプアセンブリの間には前記光を反射するための反射板がさらに設置され、前記反射板のうち前記感知センサーに対応する位置には反射板開口が設けられることを特徴とする請求項８記載のバックライトアセンブリ。
【請求項１１】
前記感知センサーは、印刷回路基板、前記印刷回路基板に実装されて前記ランプから発生した磁気力線を電流に変換して前記感知信号として出力させるための導電部材、及び前記印刷回路基板と前記インバーターとを連結するための信号印加線を含むことを特徴とする請求項１記載のバックライトアセンブリ。
【請求項１２】
前記信号印加線はフレキシブルプリント回路であることを特徴とする請求項１１記載のバックライトアセンブリ。
【請求項１３】
前記感知センサーと前記インバーターは、前記感知センサーと前記インバーターの間隔を減少させるために互いに重なるように配置されることを特徴とする請求項１１記載のバックライトアセンブリ。
【請求項１４】
前記感知センサーと前記インバーターの間隔を減少させるために、前記感知センサーは前記収納容器の底面上のランプの長手方向に対して斜めの方向に配置され、前記インバーターは前記感知センサーの端部に隣接した位置に配置されることを特徴とする請求項１１記載のバックライトアセンブリ。
【請求項１５】
前記感知センサーは、印刷回路基板、前記印刷回路基板に実装されて前記ランプから発生した光を電流に変換して前記感知信号として出力するための光電素子、及び前記印刷回路基板と前記インバーターとを連結するための信号印加線を含むことを特徴とする請求項１１記載のバックライトアセンブリ。
【請求項１６】
前記感知センサーと前記ランプアセンブリとの間には、前記ランプから発生した光を前記感知センサーに印加するための開口を有する反射板が設置されることを特徴とする請求項１５記載のバックライトアセンブリ。
【請求項１７】
光を発生する複数のランプであって、互いに平行に配置され、電気的に並列に連結されたランプを有するランプアセンブリ、各ランプの位置に対応する位置に配置され前記各ランプの作動状態に対応して感知信号を出力する感知センサー、及び前記ランプに前記ランプを駆動するためのランプ駆動電圧を印加し、前記感知信号のレベルを予め設定された基準信号レベルと比較して比べて前記感知信号のうち少なくとも一つが前記基準信号以下であるときに前記ランプ駆動信号を遮断するための電圧遮断信号を出力するインバーターを含むバックライトアセンブリと、
前記ランプから発生した光をイメージが含まれたイメージ光に変更させる液晶表示パネルと、を含むことを特徴とする液晶表示装置。
【請求項１８】
前記感知センサーは、前記ランプから発生した磁場に応じた電流を発生し前記感知信号として出力する導電部材を含むことを特徴とする請求項１７記載の液晶表示装置。
【請求項１９】
前記感知サンサーは、前記ランプから発生した光を電流に変換して前記感知信号として出力するための光電素子、前記光電素子と前記インバーターとを連結するための信号印加線を含むことを特徴とする請求項１７記載の液晶表示装置。
【請求項２０】
前記感知センサーは印刷回路基板に配置され、前記感知センサーにより発生された前記感知信号はフレキシブル回路基板を通じて前記電圧遮断モジュールに印加されることを特徴とする請求項１７記載の液晶表示装置。
【請求項２１】
前記インバーターは
前記ランプを駆動するためのランプ駆動電圧を前記ランプに印加するランプ駆動モジュールと、
前記感知信号のレベルを予め設定された基準信号レベルと比較して前記感知信号のうち少なくとも一つが前記基準信号レベル以下であるときに、前記ランプ駆動電圧を遮断するための電圧遮断信号を前記ランプ駆動モジュールに印加する電圧遮断モジュールと、
を含むことを特徴とする請求項１７記載の液晶表示装置。
【発明の詳細な説明】
【技術分野】
【０００１】
本発明はバックライトアセンブリ及びこれを利用した液晶表示装置に関し、より詳細には、並列駆動される複数個のランプの作動特性を感知して予め設定された作動特性以下に作動するランプが存在する場合、正常作動するランプを強制消灯させる機能を有するバックライトアセンブリ及びこれを利用した液晶表示装置に関するものである。
【背景技術】
【０００２】
一般に、液晶表示装置は液晶を利用して映像を表示する平板表示装置（ｆｌａｔ  ｄｉｓｐｌａｙ  ｄｅｖｉｃｅ）の１つである。液晶は電場の強度により光の透過率を変更させる。しかし、液晶は自らで光を生成することができないので液晶表示装置は暗いところでは作動できない。
【０００３】
最近には、このような液晶表示装置の問題点を勘案して暗いところでも表示を実施することができる液晶表示装置が開発された。このような液晶表示装置のほとんどが、ランプを有している。表示面積が小さい液晶表示装置は１つまたは２つのランプのみで映像を表示することが可能である。
【０００４】
最近、液晶表示装置の表示面積が漸次増加されるにつれてランプの数も大きく増加されている。液晶表示装置の種類によっては、１０〜２０個のランプが使用されることもある。また、最近には複数個のランプが並列に配列された新しい液晶表示装置が開発された。
【０００５】
しかし、複数のランプを取り付けた液晶表示装置は、ランプの数に比例してランプ駆動装置の数も増加するので、生産費用が大きく上昇し、液晶表示装置のサイズ及び重さが共に増加するという問題点がある。
【０００６】
このような問題点を勘案して、最近は、複数個のランプを互いに平行に配置し、このように配置されたランプを電気的に並列に連結し、１つまたは２つのランプ駆動装置で複数個のランプを同時に点灯する方式を有する液晶表示装置が開発された。
【０００７】
しかし、このような方式の液晶表示装置は、ランプ駆動装置の数を減少させる長所を有するが、複数個のランプのうちいずれか１つが点灯しなくなったときに残りのランプに過電流が印加されてしまい、正常作動するランプの寿命が短くなったり、ランプ破損または火災が発生したりする恐れがある。
【発明の開示】
【発明が解決しようとする課題】
【０００８】
本発明の技術と課題はこのようなことにから着眼してなされたものであり、本発明の目的は複数個が並列連結されて点灯されるランプの作動特性を感知してこれらのうち少なくとも一つ以上の作動特性が低下したとき、正常作動するランプを全部消灯してランプを保護するバックライトアセンブリを提供することにある。
【０００９】
本発明の他の目的は前記バックライトアセンブリを有する液晶表示装置を提供することにある。
【課題を解決するための手段】
【００１０】
前記した本発明の１つの特徴によるバックライトアセンブリは光を発生する複数のランプであって、互いに平行に配置され、電気的に並列に連結されたランプを有するランプアセンブリと、
前記ランプアセンブリを収納するための、底面及び側面を有する収納容器と、
前記収納容器の内部領域に各ランプの位置に対応する位置に配置され、前記各ランプの作動状態に対応して感知信号を出力する感知センサーと、
前記収納容器の外部領域に配置されて前記ランプに前記ランプを駆動するためのランプ駆動電圧を印加するランプ駆動モジュール、及び前記感知センサーにより出力された感知信号のレベルを予め設定された基準信号レベルと比較して前記各感知信号のうち少なくとも一つが前記基準信号以下であるときに、前記ランプ駆動電圧を遮断するための電圧遮断信号を前記ランプ駆動モジュールに印加する電圧遮断モジュールを有するインバーターと、を含む。
【００１１】
前記本発明の他の特徴による液晶表示装置は、光を発生する複数のランプであって、互いに平行に配置され、電気的に並列に連結されたランプを有するランプアセンブリ、各ランプの位置に対応する位置に配置され、前記各ランプの作動状態に対応して感知信号を出力する感知センサー、及び前記ランプに前記ランプを駆動するためのランプ駆動電圧を印加し、前記感知信号のレベルを予め設定された基準信号レベルと比較して前記感知信号のうち少なくとも一つが前記基準信号レベル以下であるときに前記駆動電圧を遮断するための電圧遮断信号を出力するインバーターを含むバックライトアセンブリと、
前記ランプから発生した光をイメージが含まれたイメージ光に変更させる液晶表示パネルと、を含む。
【００１２】
本発明によると、並列に連結された１つのランプ駆動信号により点灯される複数個のランプのうち少なくとも一つが消灯または作動特性が悪くなったとき、正常作動する残りのランプを迅速に消灯し、正常作動するランプの破損、寿命短縮及び火災が発生することを防止する。
【発明を実施するための最良の形態】
【００１３】
以下、図面を参照して本発明の望ましい実施形態をより詳細に説明する。
【００１４】
バックライトアセンブリの実施例
第１実施例
図１は本発明の第１実施例によるバックライトアセンブリの概念図である。
【００１５】
本発明の第１実施例によるバックライトアセンブリは、液晶表示装置、広告パネル、プロジェクションＴＶなど、映像を表示するところに主に使用される。
【００１６】
図１を参照すると、バックライトアセンブリ５００は、ランプアセンブリ１００ａ、収納容器２００、感知センサー３００ａ、及びインバーター４００を含む。
【００１７】
ランプアセンブリ１００ａはランプ１１０及び電源印加モジュール１２０を含む。
【００１８】
ランプ１１０は複数個で構成され、各ランプ１１０は互いに平行に配置される。各ランプ１１０はインバーター４００から供給されるランプ駆動電圧によって光を発生させる。
【００１９】
電源印加モジュール１２０は各ランプ１１０を電気的に並列に連結し、各ランプ１１０にランプ駆動電圧を印加する。ランプ１１０はランプ駆動電圧により同時に点灯または消灯される。ランプ１１０は点灯された時間により漸次作動特性が悪くなり、点灯時間が増加して寿命になると消灯する。
【００２０】
収納容器２００は収納空間を有し、底面２１０を含む。収納容器２００は底面２１０により内部領域２２０及び外部領域２３０で区分される。内部領域２２０にはランプアセンブリ１００ａ及び感知センサー３００ａが配置され、外部領域２３０にはインバーター４００が配置される。
【００２１】
ランプアセンブリ１００ａの電源印加モジュール１２０は収納容器２００の内部領域２２０の底面２１０に配置され、感知センサー３００ａは各ランプ１１０の位置に対応して底面２１０とランプ１１０との間に配置される。感知センサー３００ａはランプアセンブリ１００ａのランプ１１０の作動特性に応じて感知信号３１０を発生する。
【００２２】
インバーター４００は収納容器２００の外部領域２３０に設置される。具体的に、インバーター４００は収納容器２００の底面２１０の外側面に配置される。インバーター４００はランプ駆動モジュール４１０及び電圧遮断モジュール４２０からなる。
【００２３】
ランプ駆動モジュール４１０はランプ１１０を点灯するのに必要とされるランプ駆動電圧を発生する。ランプ駆動モジュール４１０から発生されたランプ駆動電圧はランプアセンブリ１００ａの電源印加モジュール１２０に印加される。
【００２４】
電源遮断モジュール４２０は感知センサー３００ａから出力された感知信号３１０によりランプ駆動電圧を遮断する。例えば、電圧遮断モジュール４２０は、予め設定された基準信号と感知信号３１０とを比較して、ランプ１１０にランプ駆動電圧を続けて印加するかランプ駆動電圧を遮断するかを判断する。
【００２５】
例えば、電圧遮断モジュール４２０は、全ての感知センサー３００ａから基準信号より高いレベルの感知信号３１０が出力されると、ランプ１１０にランプ駆動電圧を続けて供給するためにランプ駆動モジュール４１０に電圧印加信号４２５を印加する。一方、感知センサー３００ａのうち少なくとも一つから基準信号より低いレベルの感知信号３１０が出力されると、電圧遮断モジュール４２０はランプ１１０に供給されていたランプ駆動電圧を遮断するためにランプ駆動モジュール４１０に電圧遮断信号４２７を印加する。電圧遮断信号４２７は警報装置４７０にも印加される。警報装置４７０は電圧遮断信号４２７に応じて作動し、ランプ１１０が全部消灯されたことを音声または警報音で使用者に知らせる。
【００２６】
本実施例において、反射板２１９はランプアセンブリ１００ａ及び収納容器２００の底面２１０の間に設置される。反射板２１９はランプ１１０から収納容器２００の底面２１０に向かって放出された光を反射する。
【００２７】
本実施例によると、ディスプレーに必要な光を発生する複数個のランプが電気的に並列に接続されて駆動されている状態で、少なくとも一つのランプが消灯したときまたは作動特性が低下したときに、正常作動する残りのランプを迅速に消灯させることにより正常作動するランプを保護し、且つ火災を防止することができる。
【００２８】
第２実施例
図２は本発明の第２実施例によるバックライトアセンブリの分解斜視図である。図３は図２のＡ−Ａ断面図である。図４は図３のＢ部分の拡大図である。本実施例でランプアセンブリ及び感知センサーを除いた残りの部分の構成は第１実施例と同一であるためその重複された説明は省略し、第１実施例と同一の部分に対しては同一の符号及び名称を使用することにする。
【００２９】
図２を参照すると、ランプアセンブリ１００ｂはランプ１１０及び電源印加モジュール１２０で構成される。
【００３０】
ランプ１１０はランプ本体１１２、ランプ本体１１２の第１端部に配置された第１電極１１４及び第１端部と向き合う第２端部に配置された第２電極１１６で構成される。第１電極１１４及び第２電極１１６のうち少なくとも一つはランプ本体１１２の外側面に配置された外部電極である。本実施例において、第１電極１１４及び第２電極１１６は全部外部電極である。
【００３１】
ランプ１１０は図２に図示された座標系の第１方向と平行に配置され、少なくとも２つ以上が第２方向に並んで配列される。以下、ランプ１１０が占める長さをＬ1、第２方向にランプ１１０が占める幅をＷ1と称する。
【００３２】
電源印加モジュール１２０はランプ１１０を電気的に並列に連結する。電源印加モジュール１２０は第１電源印加モジュール１２５及び第２印加モジュール１２７を含む。
【００３３】
第１電源印加モジュール１２５は第１導電プレート１２５ａ及び第１電極１１４を電気的に並列に連結して固定する第１クリップ１２５ｂで構成される。第２電源印加モジュール１２７は第２導電プレート１２７ａ及び電気的に並列に第２電極１１６を連結して固定するための第２クリップ１２７ｂで構成される。第１電源印加モジュール１２５には第１電源印加線１２５ｃが連結され、第２電源印加モジュール１２７には第２電源印加線１２７ｃが連結される。
【００３４】
本実施例で収納容器２００の参照符号２２０は、第１電源印加線１２５ｃ及び第２電源印加線１２７ｃを収納容器２００の外部に引き出すための電源印加線開口である。
【００３５】
図２乃至図４を参照すると、感知センサー３００ｂは収納容器２００の内側底面２１０に配置される。感知センサー３００ｂは複数個の導電部材３１２及び信号印加線３２０で構成される。
【００３６】
導電部材３１２は厚さが薄い金属板で、望ましくは銅部材である。導電部材３１２はランプ１１０の数及び位置に対応して収納容器２００の内側底面２１０に配置される。導電部材３１２は導電部材３１２に対応するランプ１１０の作動特性に応じた感知信号を発生させる。具体的には、導電部材３１２は、ランプ１１０から発生した磁場に応じた誘導電流を発生させる。従って、点灯されたランプに対応する導電部材３１２では電流形態の感知信号が出力される。
【００３７】
信号印加線３２０は導電部材３１２から出力された感知信号をインバーター４００に伝達する役割をする。信号印加線３２０は第１端部が導電部材３１２に連結され、第１端部と対向する第２端部は後述されるインバーター４００に連結される。
【００３８】
図４を参照すると、収納容器２００が金属で製作される場合、導電部材３１２と収納容器２００とがショートされて、導電部材３１２から出力された信号がインバーター４００に伝達されなくなる。本実施例においてはこれを防止するために導電部材３１２と収納容器２００は互いに絶縁される。導電部材３１２と収納容器２００とを互いに絶縁させるために、導電部材３１２と収納容器２００との間には絶縁部材３１５がさらに設置される。絶縁部材３１５は電気的抵抗が高く、導電部材３１２と収納容器２００とを付着する接着性がある絶縁テープを使用することが望ましい。
【００３９】
本実施例では、導電部材３１２はランプ１１０から発生した磁場を感知することによりランプ１１０の作動特性を感知する。また、ランプ１１０から発生した磁場はランプ１１０及び導電部材の間隔によって影響を受けるので、図３に図示されたランプ１１０及び導電部材３１２の間隔Ｈ1はの大きさは重要である。
【００４０】
実験によると、ランプ１１０の表面及び導電部材３１０の間隔Ｈ1が１ｍｍより小さいか、５ｍｍより大きいと導電部材３１２から発生された感知信号の精度が大きく低下する。従って、本実施例において、ランプ１１０及び導電部材３１２は１〜５ｍｍになるようにすることが望ましい。一方、本実施例において、感知センサー３００ｂの信号印加線３２０を収納容器２００の外部に排出するために、収納容器２００の底面２１０に開口がさらに形成される。
【００４１】
第３実施例
図５は本発明の第３実施例によるバックライトアセンブリの分解斜視図である。本実施例において反射板、感知センサーを除いた残りの構成は第２実施例と同一であるため重複された説明は省略することにし、第２実施例と同一の部分に対しては同一の図面符号及び名称を使用することにする。
【００４２】
図５を参照すると、感知センサー３００ｃは光電素子３３０、信号印加線３４０及び信号入力線３５０で構成される。
【００４３】
光電素子３３０は収納容器２００の内側底面２１０に配置され、各光電素子３３０は各ランプ１１０に一対一で対応して配置される。
【００４４】
各光電素子３３０は入力端である第１電極及び出力端である第２電極を有する。信号入力線３５０は各光電素子３３０の第１電極に基準電圧Ｖｃｃを印加し、信号印加線３４０の第１端部は光電素子３３０の第２電極に連結され、信号印加線３４０の第１端部と対向する第２端部はインバーター４００の電圧遮断モジュール４２０に連結される。
【００４５】
本実施例において、光電素子３３０はランプ１１０から発生した光により電圧を出力するフォトトランジスタまたはフォトダイオードである。アモルファスシリコン薄膜を使用することもできる。本実施例においては望ましくはフォトトランジスタが使用される。例えば、フォトトランジスタの場合、前記第１電極をエミッタ電極とすることができ、前記第２電極をコレクタ電極とすることができる。
【００４６】
本実施例において、光電素子３３０はランプ１１０から発生した光を感知するので反射板２１９には反射板開口２１９ａがさらに形成される。反射板開口２１９ａは、各ランプ１１０から発生した光が対応する光電素子３３０に印加されるように、光電素子３３０の位置に対応する位置に形成される。
【００４７】
本実施例によると、ランプアセンブリ１００ｂのランプ１１０から発生した光はランプ１１０の作動特性により互いに異なる。例えば、作動特性が優秀なランプ１１０は輝度が高い光を発生させ、作動特性が悪いランプ１１０は相対的に低い輝度の光を発生させる。作動特性が互いに異なるランプ１１０から発生した光は各光電素子３３０に入力され、各光電素子３３０は光の輝度特性に応じて互いに異なる感知信号を発生させる。各光電素子３３０から発生した感知信号はインバーター４００に印加される。
【００４８】
インバーター４００の電圧遮断モジュール４２０は、全ての光電素子３３０から印加された感知信号３１０を予め設定された基準信号と比較する。比較結果、全ての光電素子３３０から印加された感知信号３１０のレベルが基準信号のレベルより高い場合、電圧遮断モジュール４２０は電源印加信号４２５をランプ駆動モジュール４１０に印加し、ランプ駆動モジュール４１０はランプアセンブリ１００ｂの電源印加モジュール１２０にランプ駆動電圧を印加する。
【００４９】
一方、インバーター４００の電圧遮断モジュール４２０は、少なくとも一つの光電素子３３０から基準信号のレベルより低いレベルの感知信号３１０が入力されると、電圧遮断信号４２７をランプ駆動モジュール４１０に印加し、ランプ駆動モジュール４１０はランプアセンブリ１００ｂの電源印加モジュール１２０に印加されるランプ駆動電圧を遮断する。警報装置（図示せず）は電圧遮断信号４２７によって作動し、警報装置はランプ１１０が全部消灯されたことを音声または警報音で使用者に知らせる。
【００５０】
本実施例によると、ランプから発生した光を利用して複数個のランプのうち少なくとも一つのランプの作動特性が低下した場合又は消灯された場合に、正常作動する全てのランプに印加される電源を遮断してランプの保護及び火災を防止することができる。また、本実施例によると、ランプから発生した光を利用してランプの点灯及び消灯を感知する方法は磁場を利用してランプの作動特性を感知する方式に比べてランプ及び感知センサーの間の距離制約を大きく減少することができる。
【００５１】
第４実施例
図６は本発明の第４実施例によるバックライトアセンブリの分解斜視図である。図７は図６のＣ−Ｃ断面図である。本実施例において感知センサーを除いた残りの構成は第２実施例と同一であるため重複された説明は省略し、第２実施例と同一の部分に対しては同一の符号及び名称を使用する。
【００５２】
図６または図７を参照すると、感知センサー３００ｄは印刷回路基板３６０、導電部材３１２及び信号印加線３７０で構成される。
【００５３】
導電部材３１２は薄い印刷回路基板３６０に実装される。印刷回路基板３６０には、ランプ１１０の数に対応する数の導電部材３１２がランプ１１０の位置に対応する位置に実装され、各導電部材３１２は印刷回路基板３６０の回路パターンに連結される。
【００５４】
印刷回路基板３６０は信号印加線３７０によってインバーター４００の電圧遮断モジュール４２０に連結される。信号印加線３７０の第１端部は印刷回路基板３６０の回路パターンと連結された第１コネクター３６５に連結され、信号印加線３７０の第２端部はインバーター４００の電圧遮断モジュール４２０と連結された第２コネクター４３０に連結される。信号印加線３７０は複数個の信号が同時に入出力される。信号印加線３７０には、サイズが小さく厚さが薄いフレキシブルプリント回路を使用することが望ましい。
【００５５】
図８は図６を組立てた平面図である。
【００５６】
図８を参照すると、本実施例においては、印刷回路基板３６０をランプ１１０の第１電極１１４及び第２電極１１６との間に配置することができ、第１電極１１４に隣接した位置または第２電極１１６に隣接する位置に設置することもできる。しかし、感知センサー３００ｄとインバーター４００とを連結する信号印加線３７０にフレキシブルプリント回路を使用する場合、信号印加線３７０は比較的高価であるため、感知センサー３００ｄとインバーター４００が遠く離れている場合、液晶表示装置の価格を大幅に上昇させる要因の一つとなり得る。
【００５７】
本実施例においては、これを勘案して、感知センサー３００ｄとインバーター４００とが一部または全体に亘ってオーバーラップするように配置される。これによって、感知センサー３００ｄとインバーター４００とを連結する信号印加線３７０の長さを減少させて液晶表示装置の価格上昇を減少させることができる。
【００５８】
図９は図８の変形例を図示した平面図である。
【００５９】
図９を参照すると、インバーター４００の位置が制約を受けて感知センサー３００ｄの印刷回路基板３６０とインバーター４００とが離れるべきである場合には、印刷回路基板３６０の配置を変更することで信号印加線３７０の長さを減少させることができる。
【００６０】
印刷回路基板３６０はランプ１１０を横切る方向に配される。印刷回路基板３６０はランプ１１０に対して傾けるように配置される。このとき、印刷回路基板３６０の第１端部はインバーター４００の近くに配置され、印刷回路基板３６０の第１端部と対向する第２端部はインバーター４００から相対的に遠くに配置される。信号印加線３７０が相対的に近い距離にあるインバーター４００及び印刷回路基板３６０の第１端部を連結するように構成することにより、信号印加線３７０の長さを減少させることができる。
【００６１】
本実施例によると、各ランプに対応する数を有し、ランプから発生した磁場を感知して感知信号を発生する導電部材を１つの印刷回路基板上に実装してランプの作動特性を感知するように構成したので、収納容器に導電部材を１つずつ付着するときに比べて感知センサーの設置に要する時間を大きく減少することができる。本実施例においては導電部材を印刷回路基板上に実装したが、フレキシブル回路基板に実装して、フレキシブル回路基板とインバーターとを電気的に連結しても差支えない。
【００６２】
第５実施例
図１０は本発明の第５実施例によるバックライトアセンブリの分解斜視図である。本実施例で感知センサーを除いた残りの構成は第３実施例と同様であるため重複された説明は省略し、第３実施例と同一の部分に対しては同一の図面符号及び名称を使用することにする。
【００６３】
図１０を参照すると、感知センサー３００ｅは印刷回路基板３６０、光電素子３３０及び信号印加線３７０で構成される。印刷回路基板３６０には光電素子３３０が回路パターンに実装される。印刷回路基板３６０上には、ランプの数に対応した数の光電素子３３０が、ランプと対応する位置に形成される。
【００６４】
本実施例によると、各ランプに対応する数の光電素子であってランプから発生した光を感知する光電素子を１つの印刷回路基板に実装して、ランプの点灯及び消灯を感知することによって、収納容器に光電素子を１つずつ付着するときに比べて感知センサーの設置に要する時間を大きく減少させることができる。
【００６５】
液晶表示装置の実施例
図１１は本発明による液晶表示装置の一実施例を図示した分解斜視図である。本実施例において拡散板、液晶表示パネル及びシャーシを除いた残りの構成は図６に示したバックライトアセンブリの実施例と同一であるので、重複した説明は省略することにし、実施例と同一の部分に対しては同一の符号及び名称を使用することにする。
【００６６】
バックライトアセンブリ５００のランプアセンブリの上面には拡散板４９０をさらに設置することができる。拡散板４９０はランプアセンブリから発生した光の輝線が見えないように輝度分布を均一に変更する。拡散板４９０は収納容器２００に結合される。
【００６７】
図１１を参照すると、光をイメージが含まれたイメージ光に変更させる液晶表示パネル６００はＴＦＴ基板６１０、カラーフィルター基板６２０及び液晶６３０で構成される。
【００６８】
ＴＦＴ基板６１０は、第１透明基板にマトリックス状に薄膜トランジスタを配置し、薄膜トランジスタ毎に画素電極を配置して構成される。
【００６９】
カラーフィルター基板６２０は、ＴＦＴ基板６１０と向き合うように配置され、第２透明基板に形成された共通電極及びカラーフィルターを含む。共通電極は第２透明基板の全面積に亘って形成され、画素電極と向き合うように配置される。カラーフィルターは共通電極と第２透明基板との間に配置され、各画素電極に対応する位置に形成される。
【００７０】
液晶６３０はＴＦＴ基板６１０及びカラーフィルター基板６２０の間に配置されて画素電極及び共通電極との間の電界差によりランプアセンブリから発生した光の光量を調節する。液晶６３０を通過した光はカラーフィルターを通過し、これにより使用者は所望する映像を認識することができる。
【００７１】
シャーシ７００は、液晶表示パネル６００が収納容器２００に組立てられた状態で液晶表示パネル６００を収納容器２００に固定し、液晶表示パネル６００を保護するとともに収納容器２００が外部に離脱しないようにする。
【００７２】
以上、本発明の実施例によって詳細に説明したが、本発明はこれに限定されず本発明が属する技術分野において通常の知識を有するものであれば本発明の思想と精神を離れることなく、本発明を修正または変更できる。
【図面の簡単な説明】
【００７３】
【図１】本発明の第１実施例によるバックライトアセンブリの概念図である。
【図２】本発明の第２実施例によるバックライトアセンブリの分解斜視図である。
【図３】図２のＡ−Ａの断面図である。
【図４】図３のＢ部分拡大図である。
【図５】本発明の第３実施例によるバックライトアセンブリの分解斜視図である。
【図６】本発明の第４実施例によるバックライトアセンブリの分解斜視図である。
【図７】図６のＣ−Ｃ断面図である。
【図８】図６を組立てた平面図である。
【図９】図８の変形例を示す平面図である。
【図１０】本発明の第５実施例によるバックライトアセンブリの分解斜視図である。
【図１１】本発明による液晶表示装置の一実施例を示す分解斜視図である。
【符号の説明】
【００７４】
１００ａ      ランプアセンブリ
１１０      ランプ
１１２      ランプ本体
１１４      第１電極
１１６      第２電極
１２０      電源印加モジュール
１２５      第１電源印加モジュール
１２７      第２電源印加モジュール
１２７ａ    第２導電プレート
１２７ｂ    第２クリップ
１２７ｃ    第２電源印加線
２００      収納容器
２１０      底面
２１９      反射板
２３０      外部領域
３００ａ、３００ｂ、３００ｃ、３００ｄ、３００ｅ  感知センサー
３１０      感知信号
３１２      導電部材
３３０      光電素子
３４０      信号印加線
３５０      信号入力線
４００      インバーター
４１０      ランプ駆動モジュール
４２０      電圧遮断モジュール
４２５      電圧印加信号
４２７      電圧遮断信号
５００      バックライトアセンブリ
【図１】
2004265870.tif 000003
【図２】
2004265870.tif 000004
【図３】
2004265870.tif 000005
【図４】
2004265870.tif 000006
【図５】
2004265870.tif 000007
【図６】
2004265870.tif 000008
【図７】
2004265870.tif 000009
【図８】
2004265870.tif 000010
【図９】
2004265870.tif 000011
【図１０】
2004265870.tif 000012
【図１１】
2004265870.tif 000013